(57)【要約】【課題】            特に乳幼児を対象とした場合に、寝かせた状態で身体の位置決め、特に上腕、肩、足首を位置決めし、おむつ着脱作業を容易にスムーズに行え、しかも、乳幼児が自己の体重の負荷を頸部に受ける負担を軽減することができ、下肢、腰を持ち上げ浮かせる動作も少ない力で短時間に行なうことができるというおむつ着脱補助具がなかったという点である。【解決手段】        第一及び第二の基体を枢動可能に連結し、その連結部分の略中央におむつ装着者の尻部が露呈する透孔部を形成し、その一方の基体に枢動状態の角度形態を保持する手段と、他方の基体にその手段の係止部とを設け、もしくは連結部にその角度形態保持手段とを設けてあるおむつ着脱補助具において、前記した第一の基体にはおむつ装着者の頭部及び上体の受部を形成し、その受部の両サイド寄りにおむつ装着者の肩部もしくは上腕部の位置決め手段を設け、第二の基体にはおむつ装着者の下肢受部を設けるとともに、下肢のうち足首部分の位置決め手段を設けていることとする。【選択図】          図２
2015080541.tif 000002
【特許請求の範囲】
【請求項１】
第一及び第二の基体を枢動可能に連結し、その連結部分の略中央におむつ装着者の尻部が露呈する透孔部を形成し、その一方の基体に枢動状態の角度形態を保持する手段と、他方の基体にその手段の係止部とを設け、もしくは連結部にその角度形態保持手段を設けてあるおむつ着脱補助具において、前記した第一の基体にはおむつ装着者の頭部及び上体の受部を形成し、その受部の両サイド寄りにおむつ装着者の肩部もしくは上腕部の位置決め手段を設け、第二の基体にはおむつ装着者の下肢受部を設けるとともに、下肢のうち足首部分の位置決め手段を設けていることを特徴とするおむつ着脱補助具。
【請求項２】
前記した各々の位置決め手段は面状ファスナーによるテープ材とし、その取り付け個所を調整可能としてあることを特徴とする請求項１に記載のおむつ着脱補助具。
【請求項３】
前記した第一の基体の表面と、第二の基体の足首対応部分にはクッションパッドが備えられていることを特徴とする請求項１または２に記載のおむつ着脱補助具。
【請求項４】
前記した第二の基体の枢着部側の両外縁には突片を延設し、その各々の突片の先端部分に滑動補助手段を取り付けてあることを特徴とする請求項１から３のうち１項に記載のおむつ着脱補助具。
【請求項５】
前記した滑動補助手段はローラとしたことを特徴とする請求項４に記載のおむつ着脱補助具。
【発明の詳細な説明】
【技術分野】
【０００１】
本発明はおむつ着脱補助具に関し、特に、おむつ装着者が乳幼児である場合に有効となり、おむつの着脱作業者が容易に、素早く作業を実行することができ、かつ、おむつ装着者のおむつ着脱作業中の身体的負担も軽減されるおむつ着脱補助具に関する。
【背景技術】
【０００２】
従来、乳幼児のおむつ着脱、交換作業は、乳幼児を寝かした状態で既設のおむつを外し、乳幼児の両足首を片手で掴んで、下肢及び腰を持ち上げ、拭き取り作業をした後、新しいおむつを当てて、両下肢を拡げ畳み込む手順となっている。この作業にあって、下肢、腰を浮かせられる乳幼児は体重の負荷が頭部や頸部にかかってしまう状態となる。
【０００３】
この従来の作業は、非常に面倒で、乳幼児の体は柔らかく、動き回ることが多く、肩や手足を回してしまうため手間取ってしまい、精度よく装着させることが困難である場合が多い。そこで、特許文献１〜３として示すような技術が開陳されている。このうち、特許文献１及び２は特に病人や介護老人を対象としているもので、また、特許文献３は乳幼児を対象とはしているが、基体を枢動させて、下肢、腰を持ち上げ浮かす構成ではない。
【先行技術文献】
【特許文献】
【０００４】
【特許文献１】特開２００７−１５８号公報
【特許文献２】特開２００１−２９３０２３号公報
【特許文献３】特開２００６−２８０８７５号公報
【発明の概要】
【発明が解決しようとする課題】
【０００５】
本発明が解決しようとする問題点は、特に乳幼児を対象とした場合に、寝かせた状態で身体の位置決め、特に上腕、肩、足首を位置決めし、おむつ着脱作業を容易にスムーズに行え、しかも、乳幼児が自己の体重の負荷を頸部に受ける負担を軽減することができ、下肢、腰を持ち上げ浮かせる動作も少ない力で短時間に行なうことができるというおむつ着脱補助具がなかったという点である。
【課題を解決するための手段】
【０００６】
この問題点を解決するために、本発明に係るおむつ着脱補助具は、第一及び第二の基体を枢動可能に連結し、その連結部分の略中央におむつ装着者の尻部が露呈する透孔部を形成し、その一方の基体に枢動状態の角度形態を保持する手段と、他方の基体にその手段の係止部とを設け、もしくは連結部にその角度形態保持手段とを設けてあるおむつ着脱補助具において、前記した第一の基体にはおむつ装着者の頭部及び上体の受部を形成し、その受部の両サイド寄りにおむつ装着者の肩部もしくは上腕部の位置決め手段を設け、第二の基体にはおむつ装着者の下肢受部を設けるとともに、下肢のうち足首部分の位置決め手段を設けていることを特徴としている。
【０００７】
また、本発明に係るおむつ着脱補助具は、前記した各々の位置決め手段は面状ファスナーによるテープ材とし、その取り付け個所を調整可能としてあることを特徴とし、前記した第一の基体の表面と、第二の基体の足首対応部分にはクッションパッドが備えられていることを特徴としている。
【０００８】
さらに、本圧名に係るおむつ着脱補助具は、前記した第二の基体の枢着部側の両外縁には突片を延設し、その各々の突片の先端部分に滑動補助手段を取り付けてあることを特徴とし、前記した滑動補助手段はローラとしたことを特徴としている。
【発明の効果】
【０００９】
本発明に係るおむつ着脱補助具は上記のように構成されている。そのため、特におむつ装着者である乳幼児の上腕、肩及び足首を固定させ、下肢、腰を持ち上げることができるので、乳幼児の身体の位置ずれなく、作業者の両手を自由に用いての作業ができる。
【００１０】
また、頭部、頸部にはクッションでの受部があり、乳幼児の頸部への負担を軽減でき、第二の基体の突片に滑動補助手段があるため、非力な作業者でも容易にこの第二の基体を片手で持ち上げ、その角度を固定させることができることとなる。
【図面の簡単な説明】
【００１１】
【図１】本発明を実施したおむつ着脱補助具の初期状態を示す斜視図である。
【図２】第二の基体を持ち上げその角度を固定させた状態の斜視図である。
【図３】側面図である。
【図４】第一の基体の部分平面図である。
【図５】第二の基体の部分平面図である。
【発明を実施するための形態】
【００１２】
図面として示し、実施例で説明したように構成したことで実現した。
【実施例１】
【００１３】
次に、本発明の好ましい実施の一例を図面を参照して説明する。図中１は本発明を実施したおむつ着脱補助具本体であり、この補助具本体１は中空プラスチック等の軽量板材によって成形された第一の基体２と第二の基体３とから構成されている。第一の基体２は、第二の基体３側に一対の下垂片４、４が形成され、その下垂片４、４の内面が弧状の切り欠き５が形成されている。
【００１４】
また、第一の基体２の遊端側は乳幼児の頭部、頸部の受部６として外方へ膨出された構成となっており、緩衝用としてのクッションパッド７が貼設されている。このクッションパッド７の左右両側寄りには各々クランク状の透孔８、８が形成されており、その透孔８、８に対応する第一の基体２には各々クランク状の段階ごとに横方向に並行する長孔が形成され、この各長孔によって乳幼児の上腕、肩を位置決めするための手段としての帯状とした面状ファスナー９、９の係止部１０、１０‥が形成されている。この構成によって前記面状ファスナーの取付け位置を乳幼児の体格に合わせ調整することができる。尚、この第一の基体２の受部６の裏面にも緩衝用の裏面クッションパッド１１が貼設されている。
【００１５】
さらに、この第一の基体２のクッションパッド７から外れた左右両端には、後述する第二の基体３が枢動して持ち上げられた際の角度を位置決め止着するための手段としての紐体１２、１２の基端が固着されている。この紐体１２、１２の先端は係止用のリング１３、１３が形成されている。
【００１６】
一方、第二の基体３には、前記した第一の基体２の下垂片４、４の外側面に沿う内側面を有する一対の突片１４、１４が設けられており、その突片１４、１４の内側面に続けて段部１５、１５が形成されている。この段部１５、１５と下垂片４、４との間にヒンジ１６、１６が取付けられており、第一の基体２と第二の基体３とは相互に枢動可能なものとなっている。
【００１７】
また、前記した段部１５、１５に続く内壁面は弧状の切り欠き１７とされており、この切り欠き１７は前記した第一の基体２の切り欠き５と合わせて、乳幼児の腰、尻部がはまり、露呈させることのできる透孔１８を形成している。
【００１８】
さらに、この第二の基体３には乳幼児の足首部分を受けるためのクッションパッド１９、１９が左右に設けられており、このクッションパッド１９、１９にもクランク状の透孔２０、２０が形成されており、この透孔２０、２０のクランク状の段階ごとに縦方向の長孔が形成され、この各長孔によって乳幼児の足首を位置決めするための手段としての帯状とした面状ファスナー２１、２１の係止部２２、２２‥が形成されている。この構成によって乳幼児の体格に合わせて前記面状ファスナー２１、２１の取付け位置を調整できる。
【００１９】
この第二の基体３の遊端側におけるクッションパッド１９、１９間には、この第二の基体３を持ち上げるための指掛け用透孔２３が形成されており、左右端には、前記した紐体１２、１２のリング１３、１３が係止される突起２４、２４が切り欠きを入れることによって形成されている。
【００２０】
また、この第二の基体３の前記した突片１４、１４の先端部分には、梃子作用の支点となりながら、この作用をスムーズに行わせるための滑動部材としてローラ２５、２５が取付けられている。指掛け用透孔２３に指を掛けて第二の基体３を持ち上げる作用は、このローラ２５、２５の回転に補助されて非力な作業者でも容易に作業を実行することができる。
【産業上の利用可能性】
【００２１】
本実施例に係るおむつ着脱補助具は上記のように構成されている。第一及び第二の基体２、３は中空プラスチックを想定しているが、他の軽量な木板等でも代替でき、紐体１２もチェーンや革紐等でも代替でき、ローラ２５、２５も表面の滑らかなプラスチック製のハーフパイプ等でも代替可能である。
【符号の説明】
【００２２】
１    おむつ着脱補助具本体
２    第一の基体
３    第二の基体
４    下垂片
５，１７  切り欠き
６    受部
７，１１，１９  クッションパッド
８，２０  クランク状の透孔
９，２１  面状ファスナー
１０，２２  係止部
１２  紐体
１３  リング
１４  突片
１５  段部
１６  ヒンジ
１８  透孔
２３  指掛け部
２４  突起
２５  ローラ
【図１】
2015080541.tif 000003
【図２】
2015080541.tif 000004
【図３】
2015080541.tif 000005
【図４】
2015080541.tif 000006
【図５】
2015080541.tif 000007
【手続補正書】
【提出日】平成25年10月24日(2013.10.24)
【手続補正１】
【補正対象書類名】明細書
【補正対象項目名】０００８
【補正方法】変更
【補正の内容】
【０００８】
さらに、本発明に係るおむつ着脱補助具は、前記した第二の基体の枢着部側の両外縁には突片を延設し、その各々の突片の先端部分に滑動補助手段を取り付けてあることを特徴とし、前記した滑動補助手段はローラとしたことを特徴としている。